Podtech/llm-jp-corpus-v4-ja_patent huggingface dataset:
(57)【要約】【課題】ひもを用いるタイプの赤ちゃん肌着は、ハンガーからの落下を防ぐ為にひもを結ばなければならず、時間と手間がかかり効率が悪かった。本発明は、ひもを結ばず簡単に赤ちゃん肌着を掛けられるハンガーを提供する。【解決手段】ハンガーの表面と裏面に下方に張り出すアームをアームを１本ずつ設け、各アーム先端の表裏両面に円盤型のひも留めを固定した赤ちゃん肌着ハンガー。【選択図】図１
2013081721.tif 000002
【特許請求の範囲】
【請求項１】
ハンガーの表面と裏面に下方へ張り出すアームを１本ずつ設け、各アーム先端の表裏両面に円盤型のひも留めを固定した赤ちゃん肌着用ハンガー。
【発明の詳細な説明】
【技術分野】
【０００１】  本発明は赤ちゃん肌着を掛けるための赤ちゃん肌着用ハンガーに関するものである。
【背景技術】
【０００２】  従来、ひもを用いるタイプの赤ちゃん肌着は、ハンガーからの落下を防ぐ為、ひもを結んでハンガーに掛けていた。
なお、赤ちゃん用の衣類に対応するために、伸縮出来る構造のハンガーが知られている（特許文献１参照）。
【先行技術文献】
【０００３】
【特許文献１】実登３０６６２７０号広報
【発明の概要】
【発明が解決しようとする課題】
【０００４】  ひもを用いるタイプの赤ちゃん肌着は、ハンガーからの落下を防ぐ為にひもを結ばなければならず、時間と手間がかかり効率が悪かった。
本発明は、以上の問題を解決するためになされたものである。
【課題を解決する手段】
【０００５】  ハンガーの表面と裏面に下方に張り出すアームを１本ずつ設け、各アーム先端の表裏両面に円盤型のひも留めを固定する。
以上の構成によりなるハンガー。
【発明の効果】
【０００６】  本発明は、従来のハンガーと同じ手順で赤ちゃん肌着を掛け、円盤型のひも留めに赤ちゃん肌着のひも挟むだけで固定されるので、作業時間が短縮される。
【図面の簡単な説明】
【０００７】
【図１】本発明の斜視図
【図２】本発明の前面図
【図３】本発明の上面図
【図４】本発明の下面図
【図５】本発明の側面図
【図６】アームの断面図
【図７】本発明の使用時の斜視図１
【図８】本発明の使用時の斜視図２
【発明を実施するための形態】
【０００８】以下、本発明の実施の形態を説明する。
（イ）山型の本体（１）頂上中心にフック（２）を設ける。
（ロ）本体（１）の上面左側に切り欠けＡ（３ａ）、右側に切り欠けＢ（３ｂ）を設ける。
（ハ）本体（１の）表面、切り欠けＡ（３ａ）より中心寄りにアームＡ（４ａ）を設ける。
（ニ）本体（１）の裏面、切り欠けＢ（３ｂ）より中心寄りにアームＢ（４ｂ）を設ける。
（ホ）アームＡ（４ａ）、アームＢ（４ｂ）の先端近くの表裏両面に、ひも留め固定部（６）を設け、穴の開いた円盤状のシリコンゴムを固定し、
アームＡ（４ａ）の表面にひも留めＡ（５ａ）、裏面にひも留めＢ（５ｂ）、
アームＢ（４ｂ）の表面にひも留めＣ（５ｃ）、裏面にひも留めＤ（５ｄ）を設け
本発明は以上のような構造である。
本発明を使用するときは先ず、肌着の右肩を切り欠きＡ（３ａ）に掛け、右袖に繋がるひもをアームＡ（４ａ）の裏側へ引き、ひも留めＣ（５ｃ）とアームＢ（４ｂ）の間に挟み固定する（［図７］参照）。
次に肌着の左肩を切り欠きＢ（３ｂ）に掛け、左襟に繋がるひもをひも留めＡ（５ａ）とアームＡ（４ａ）の間に挟み固定する（［図８］参照）。
また、アームＡ（４ａ）の裏側にはひも留めＢ（５ｂ）、アーム（４ｂ）の裏側にはひも留めＤ（４ｄ）が設けられているので、裏側から作業する場合でも、切り欠けＡ（３ａ）と切り欠けＢ（３ｂ）、アームＡ（４ａ）とアームＢ（４ｂ）を相互に読み替え、ひも留めＡ（５ａ）をひも留めＤ（５ｄ）、ひも留めＣ（５ｃ）をひも留めＢ（５ｂ）と読み替えることで、上記と同じ手順で使用することができる。
【符号の説明】１  本体、２  フック、３ａ  切り欠けＡ、３ｂ  切り欠けＢ、４  アーム、４ａ  アームＡ、４ｂ  アームＢ、５  ひも留め、５ａ  ひも留めＡ、５ｂ  ひも留めＢ、５ｃ  ひも留めＣ、５ｄ  ひも留めＤ、６  ひも留め固定部
【図１】
2013081721.tif 000003
【図２】
2013081721.tif 000004
【図３】
2013081721.tif 000005
【図４】
2013081721.tif 000006
【図５】
2013081721.tif 000007
【図６】
2013081721.tif 000008
【図７】
2013081721.tif 000009
【図８】
2013081721.tif 000010
(57)【要約】【課題】巻き爪は放置していると、爪はどんどん内側に巻いていき、痛みを伴うようになり、歩くのにも支障がでるようになる。ひどくなってから、手術や器具をとりつけることで改善はするが、早期に手当てする事こそ重要であり、本発明は、自宅で手軽に手当てができる巻き爪の矯正に役立つ巻き爪用絆創膏を提供する。【解決手段】細長の伸縮性のある絆創膏の中央の片端部分に、伸縮性のあるガーゼとパットを重ねて貼り付けた巻き爪用絆創膏の、ガーゼの部分を、巻いている爪の先端の両端の下に差し込み、絆創膏を貼りつける。継続して、手当てすることで巻き爪が改善される。【選択図】図１
2013081723.tif 000002
【特許請求の範囲】
【請求項１】
細長の伸縮性のある絆創膏の、中央の片端部分に、伸縮性のあるガーゼとパットを重ねて貼り付けた巻き爪用絆創膏。
【発明の詳細な説明】
【技術分野】
【０００１】  本発明は、巻き爪を自宅で手軽に改善できる、巻き爪用絆創膏に関するものである。
【背景技術】
【０００２】  従来、巻き爪は、初期の段階では、特別に手当てする事は無く、進行して、痛みや、歩行に支障がでると、手術や、器具などを取り付けるなど、病院に行き、処置してもらうことが多かった。
なお、爪に矯正具を固定させる巻き爪矯正具が知られている（特許文献１参照）。
【先行技術文献】
【０００３】
【特許文献１】  特開２０１１−２４７７６号公報
【発明の概要】
【発明が解決しようとする課題】
【０００４】  巻き爪は初期には痛みも無く、少し変形してきても、気にかける事なくすごしてしまいがちである。又、巻き爪ということにも気がついていない人もある。
巻き爪の症状が進行し、痛みが伴って歩くことに支障が出てきてから、病院に行き処置してもらうことが多かった。病院での治療方法には、いくつかあるが、無痛であるとは限らない。
同じ治療方法であっても、病院ごとに診療費が異なることもある。巻き爪の症状が悪化してからの通院は経済的にも、時間的にも負担が大きかった。
本発明は、以上の問題点を解決するためになされたものである。
【課題を解決するための手段】
【０００５】  細長で伸縮性のある絆創膏の、中央の片端部分に、伸縮性のある、ガーゼとパットを重ねて貼り付ける。
以上の構成よりなる巻き爪用絆創膏。
【発明の効果】
【０００６】  巻き爪と気がついた時に、自宅で手軽に手当てができる。
初期の段階で手当てをする事が可能になる。
継続して手当てすることにより、巻き爪の進行を止める。
爪の先端の角が外側へ向いてきて、爪の幅も広くなる。
又、巻きが進行していても爪の先端の片方のみに、手当てをしていき、爪が戻るのに併せて、両方に手当てができるようになる。巻き爪が改善される。
【図面の簡単な説明】
【０００７】
【図１】  本発明の裏面図
【図２】  本発明の表面図
【図３】  本発明の側面図
【図４】  本発明の使用状態の斜視図
【発明を実施するための形態】
【０００８】  以下、本発明の実施の形態を説明する。
細長で伸縮性のある絆創膏（１）の、中央の片端部分に、伸縮性のあるガーゼ（２）とパット（３）を重ねて貼り付けた、巻き爪用絆創膏。
本発明は、以上のような構造である。
本発明を使用する時は、巻き爪の先端の左右の角の下に、ガーゼ（２）の部分を差しこみ、ずれないように、裏面の粘着面（４）を指に貼り付ける。継続して、手当てする事で、爪は巻いていくのが止まり、爪の端が外側へ向いていき、爪の幅も広くなっていく。自宅で手軽に手当てができ、使い捨てで、衛生面もよく、爪の大きさに左右されず、目立たず、圧迫感もなく使用できる。なお、入浴後に手当てをするのが好ましい。
【符号の説明】
【０００９】１  絆創膏、  ２  ガーゼ、  ３  パット、  ４  粘着面
【図１】
2013081723.tif 000003
【図２】
2013081723.tif 000004
【図３】
2013081723.tif 000005
【図４】
2013081723.tif 000006
(57)【要約】【課題】優れた難燃性と共に雑草抑制効果および飛散防止効果に優れたマルチング材を提供する。【解決手段】広葉樹および／または針葉樹の樹皮の粉砕物にポリ塩化アルミニウムと水性樹脂エマルジョンを被覆する。【選択図】なし【特許請求の範囲】
【請求項１】
水性樹脂エマルジョンとポリ塩化アルミニウムを被覆して有する広葉樹および／または針葉樹の樹皮の粉砕物からなることを特徴とする難燃性マルチング材。
【請求項２】
水性樹脂エマルジョンが酢酸ビニル系樹脂の水性エマルジョンである請求項１記載の難燃性マルチング材。
【請求項３】
樹皮がヒノキ樹皮である請求項１または２記載の難燃性マルチング材。
【発明の詳細な説明】
【技術分野】
【０００１】
本発明は難燃性マルチング材に関する。
【背景技術】
【０００２】
植樹された樹木などの根元および樹木の間には、地表面からの水分の蒸散を抑制し、また雑草が生えてくるのを防止するためマルチング材を敷くことが広く行われている。マルチング材は、敷いた後飛散、流失しやすいと共に、煙草の投げ捨てなどによる火災が発生する危険性ももっている。飛散や流失がしにくく、火種により容易に着火しないマルチング材の開発が望まれている。そこで、マルチング材を種々の処理剤で処理する技術が提案されている。
【０００３】
例えば、特許文献１および特許文献２には、アクリル樹脂エマルジョン等の水性エマルジョンと難燃剤としてのリン酸化合物とを付与した難燃性マルチング材が開示されている。
【先行技術文献】
【特許文献】
【０００４】
【特許文献１】特開平８−８９０９７号公報
【特許文献２】特開平１１−１７８４６３号公報
【発明の概要】
【発明が解決しようとする課題】
【０００５】
ところで、このような難燃性マルチング材においては、より実用性の高い難燃性マルチング材、例えば、難燃性に加えて、雑草抑制効果および飛散防止効果をもつ高度に改良されたマルチング材が求められている。
【０００６】
本発明の目的は、より実用性の高い難燃性マルチング材を提供することにあり、本発明の更なる目的は、優れた難燃性に加えて、優れた雑草抑制効果および飛散防止効果をもつ高度に改良されたマルチング材を提供することにある。
【課題を解決するための手段】
【０００７】
本発明は、水性樹脂エマルジョンとポリ塩化アルミニウムを被覆した広葉樹および／または針葉樹の樹皮の粉砕物からなることを特徴とする難燃性マルチング材である。
【０００８】
本発明において特に好ましい水性樹脂エマルジョンは、酢酸ビニル系樹脂を必須成分として含有する水性エマルジョンである。
【発明の効果】
【０００９】
本発明のマルチング材は、難燃性に優れると共に、雑草抑制効果および飛散防止効果にも優れるというバランスのとれた実用性の高いマルチング材である。
【発明を実施するための形態】
【００１０】
本発明のマルチング材に用いうる樹皮は広葉樹皮および針葉樹皮のいずれの樹皮でもよいが、針葉樹皮、特にヒノキ樹皮が好ましい。
【００１１】
これらの樹皮は一般的に知られた粉砕機によって通常１〜５ｃｍ程度の長さ、繊維状に粉砕した後に、本発明の被覆処理剤での処理に供される。
【００１２】
本発明の被覆処理剤の一成分はポリ塩化アルミニウムである。ポリ塩化アルミニウムは塩基性塩化アルミニウムとも称され、［Ａｌ２（ＯＨ）ｎＣｌ６−ｎ］ｍの一般式で示すことができる。必要に応じ少量の無機質ミネラルと共に水性分散塩の形で用いられる。樹皮に対する添加量は重量基準で通常１〜２０％、好ましくは３〜１０％である。
【００１３】
本発明の被覆処理剤の他の必須成分は水性樹脂エマルジョンである。水性樹脂エマルジョンを構成する樹脂成分としては、アクリル系樹脂、ウレタン系樹脂、酢酸ビニル系樹脂、塩化ビニル系樹脂、塩化ビニリデン系樹脂等があるが、本発明においてポリ塩化アルミニウムとの組合せで最も効果的なのは酢酸ビニル系樹脂である。水性酢酸ビニル系樹脂エマルジョンの一例としては酢酸ビニル共重合体３０〜５０％と水５０〜７０％とからなるエマルジョンである。水性樹脂エマルジョンの樹皮に対する添加量は重量基準で通常０．１〜１０％、好ましくは０．５〜５％である。
【００１４】
ポリ塩化アルミニウムと水性樹脂エマルジョンは別途に樹皮に付着させてもまた同時に樹皮に付着させてもよい。
【実施例】
【００１５】
次に、本発明の実施例について説明する。
【００１６】
製材工場から入手した１００％国産ヒノキ樹皮の粉砕物を混合機に入れ、ポリ塩化アルミニウムの分散液を重量基準で５％／ｍ３となるよう噴霧し、さらに水性酢酸ビニル樹脂エマルジョンを重量基準で１％／ｍ３となるよう噴霧し、約１時間混合することにより被覆処理済マルチング材を製造した。
【００１７】
この被覆処理済マルチング材について、難燃性試験および雑草抑制試験を行った。
難燃性試験は、消防法施行規則でじゅうたん等に適用されている４５°エアーミックスバーナー法を用いて試験を行った。試験は（財）日本防炎協会で試験体 Ｎ＝６で行った（試験体Ｎｏ．１〜６）。
【００１８】
具体的には、被覆処理済マルチング材をローラで厚み３０ｍｍに転圧し、３５×２０ｃｍの供試体とし、これを恒温乾燥器中で一定水分量にした後、傾斜４５°の台上に設置し、エアーミックスバーナーを用いて供試体の下部に長さ２４ｍｍの炎を３０秒間当てた。次いで残炎時間と炭化長を測定した。難燃性試験の結果を表１に示す。
【００１９】
【表１】
2013081416.tif 000002
【００２０】
表１に示すように、本実施例の被覆処理済マルチング材（試験体 Ｎ＝６・試験体Ｎｏ．１〜６）は、残炎時間、炭化長とも良好な結果を示していることを確認した。
【００２１】
雑草抑制試験は、本実施例の被覆処理済マルチング材を用いて被覆した土壌について雑草の発芽状態を観察した。比較のため、被覆処理していないマルチング材についても同一条件で雑草の発芽状態を観察した。
【００２２】
雑草抑制試験の結果、本実施例の被覆処理済マルチング材では、試験開始後６６日後も雑草が１本も生じなかった。これに対し被覆処理していないマルチング材では２３日後に１本、４５日後に７本、６６日後に１２本の雑草が生じた。
【００２３】
また、本実施例の被覆処理済マルチング材は被覆処理していないマルチング材に比し顕著に優れた飛散防止効果をもっていた。
(57)【要約】【課題】従来、製茶類による慶祝用を主体とする製品は見当たらず、慶祝用としてはもっぱら清酒類等が中心となり、今日に及んでいるが、現在において清酒類等は、飲酒運転等の規制から制約が厳しく使用が制限され、もっぱら他の飲料等に依存せざるをえない現状からみて、酒類等に代わる慶祝用としての代替品が必要視される。【解決手段】本発明は、これまでの慶祝用清酒類をはじめとする飲料品等に代わる代替品として慶祝用を中心に、時代のニーズに応じた製品として製造、加工し、社会の要望を満たすべく腐心する。また、松竹梅という名称は、古来より目出度い象徴の呼称として位置づけられていれば、その関係からもその呼称を名付けることにより、松竹梅茶という製茶（抹茶を含む）は、自ずから目出度い製品として必然的に社会から受入れられるものと信じる。尚、本製品の生産に要する原材料等の調達、利用によって地域産業の振興発展並に事業の推進を図れることはもとより、現在、社会問題化されているところの雇用問題に対しても雇用の確保に併せ、雇用の促進増強に貢献、寄与できるものと自負、確信される。【選択図】なし【特許請求の範囲】
【請求項１】
従来、各単品（松・竹・梅）ごとによる製茶は存在するも、慶祝用を中心とする製茶や製品等は全く例をみず、その点から今後における市場や、消費者嗜好上において要望、要求され得るものに加え、健康面からも原材料とする松・竹・梅のもつ、成分・栄養、効能が活用されるのみならず、三種類の混合により、より一層その効能・効果が倍増され、体力の増強や健康上、計り切れない程の魅力が生じ、その点において今日における人々の健康思考上や、思想上からも嘱望されるものと確信の上、これらの有効性を含め、現代社会の趨勢から推し量り、有望と信じるところの製茶（抹茶を含む）仕立ての、三種混合による製品としての松竹梅茶。
【発明の詳細な説明】
【発明の詳細な説明】
【技術分野】
【０００１】本発明は、松（赤松）竹（クマザサ）梅（豊後梅等）の若葉をその時期に採取、加熱等を施し製茶とし、製茶とした松茶、竹茶、梅茶等の三種類の製茶を混合ブレンドし、松竹梅茶として製造加工した製品に関するものである。
【背景技術】
【０００２】従来、この種の製品は全く見当たらず消費嗜好の傾向および、現代社会における趨勢から判断、必要性を痛感し製品化することとした。
【発明の開示】
【発明が解決しようとする課題】
【０００３】しかしながら、三種類による、それぞれの製茶が単品ごとでは、本発明による役目が果たされない、のみならず、効能、効果的にも遜色が生じその点においての解決を計り、かつ市場性価値の高い製品として必要不可欠なることを目的に、三種類の製茶をブレンドすることにより解決と共に万全を期する事とした。
【課題を解決するための手段】
【０００４】本発明は従来、各単品（松、竹、梅）ごとによる製茶は存在するも、慶祝用を中心とする製茶製品等は全く例をみず、その点から今後における市場や、消費者嗜好上において要望、要求され得るものに加え、健康面からも原材料とする松・竹・梅のもつ成分、栄養、効能が活用されるのみならず、三種混合により、より一層その効能、効果が倍増され、体力の増強や健康上、計り切れない程の魅力が生じ、その点において今日における人々の健康思考上や、思想上からも嘱望されるものと確信し、これらの有効性を含め、現代社会の趨勢から推し量り有望と信じる、製茶（抹茶を含む）仕立ての、三種混合の製品としての松竹梅茶。
【発明の効果】
【０００５】三種類の製茶を単品でもって使用することと異なり三種混合することにより栄養、成分、嗜好等が倍加されるのみならず、松、竹、梅という目出度い呼称により形式や、名前をはじめ、新しいものを好む傾向を有する人間性からみて、本製品は万人にとって価値ある受入れ易い嘱望、且つ、画期的製品と自負される。
【発明を実施するための最良の形態】
【０００６】製品に使用する笹・樹等は、苗木等より育成、比較的若木等のうちに、各時期に応じて、製茶に適した若葉を採取、製茶加工を施し、精練された三種類の製茶（松茶・竹茶・梅茶）を混合（ブレンド）の上、一つにまとめた製茶（抹茶を含む）仕立ての松竹梅茶。
(57)【要約】      （修正有）【課題】ゆずと、塩をブレンドしたゆず果汁ソルトを提供する。【解決手段】ゆずから摘出したゆずの果汁２を絞り塩４の中に浸し酸味を保持するために冷蔵乾燥し、ゆずの皮３を小さく切り、ゆずの皮の香りと緑色の皮を保持するために冷蔵乾燥させ、ゆずの果汁、塩、ゆずの皮の香りと味を保持して調味料して使用することを特徴とする。【選択図】図１
2013081442.tif 000002
【特許請求の範囲】
【請求項１】
ゆずの皮（３）を小さく切り刻み、皮の緑を保持するために冷蔵庫で乾燥させ、乾燥した塩とゆず（１）から摘出したゆずの果汁、乾燥した皮をブレンドし、ゆずの果汁（２）と塩（４）と、ゆずの皮（３）をブレンドした酸味のあるのを特徴としたゆず果汁ソルト。
【発明の詳細な説明】
【技術分野】
【０００１】  本発明は、ゆずを塩、ゆずの果汁、皮をブレンドすることでゆずの香りと酸味、塩分があるソルトに関するものである。
【背景技術】
【０００２】  従来の柑橘系ソルトは、柑橘の香りと塩の２種類の成分である。
【発明の開示】
【発明が解決しようとする課題】
【０００３】  これは次のような欠点があった。
従来の柑橘類ソルトは、風味とソルト味で、柑橘類の酸味は含まれていなかった。
本発明は以上の問題点を解決しようとするものである。
【課題を解決するための手段】
【０００４】  ゆず（１）から摘出したゆずの果汁（２）を絞り、塩（４）をその酢に浸し、乾燥し、ゆずの皮（３）を小さく切り刻み、皮の緑色を失わないように乾燥させてブレンドしたソルトである。
本発明は、以上の構成よりなるゆず果汁ソルトである。
【発明の効果】
【０００５】  本発明は、ゆずの酸味と、塩味、ゆずの皮の味と香りのするゆず果汁ソルトを、野菜サラダ、天ぷら、焼魚、ムニエにふりかけ食し、手作りドレシングの調味料として使うことができる。
【図面の簡単な説明】
【０００６】
【図１】  本発明の斜視図である。
【図２】  本発明のゆずと塩の説明図である。
【図３】  本発明の使用状態を示した斜視図である。
【図４】  本発明の使用状態を示した斜視図である。
【発明を実施するための形態】
【０００７】  以下、本発明を実施するための形態について説明する。
（イ）ゆず（１）から摘出したゆずの果汁（２）に塩（４）を浸みせ込ませ、酸味を保持するために冷蔵乾燥をする。
（ロ）ゆずの皮（３）を小さく切り刻み皮の緑を保持するために冷蔵乾燥する。
（ハ）ゆずの果汁（２）、ゆずの皮（３）、塩（４）をブレンドしたゆず果汁ソルトである。
本発明は、以上の構成よりなっている。
本発明を使用するときは、上記のゆず果汁ソルトを生野菜、焼魚  肉料理にふりかけ酸味が強すぎず、ミネラルが多いので食材の味を消すことなく、味を引き立たせるゆず果汁ソルトである
【符号の説明】
【０００８】    １  ゆず
２  ゆずの果汁
３  ゆずの皮
４  塩
【図１】
2013081442.tif 000003
【図２】
2013081442.tif 000004
【図３】
2013081442.tif 000005
【図４】
2013081442.tif 000006
(57)【要約】【課題】従来の草刈機での作業は、草刈り機の軸に巻きつく、草、かずら、つる物、ひもなどを取り除く為、機械を止めて作業を中断し、刃先まで手が届かないので、そのつど機械を下ろす手間が必要であり、効率も悪く作業者の負担であった。そこでカギ爪型の刃を草刈機の回転刃上部シャフトに図２、図３のように取り付けるだけで、からみを防止する便利な刃で脱着メンテナンス性にも優れた、なおかつ安全なからみを防止するカギ爪型の固定刃を提供する。【解決手段】カギ爪型固定刃（１）を、取り付けバンド（２）ボルト（３）ナット（４）を草刈機のシャフトに、図２、図３のように取り付ける。草刈機の刃の回転方向に引かれて来る長い物は、回転軸に向かう力が働くので、軸に向かって来る部分を切断する事を特徴とする。【選択図】図１
2013081444.tif 000002
【特許請求の範囲】
【請求項１】
草刈機の回転刃上部シャフトに、カギ爪型固定刃（１）を、取り付けバンド（２）ボルト（３）ナット（４）で装着し、又、草刈機の刃の回転方向に少し角度を付けてセットし、草刈機の刃との間にギャップを設け固定したからみ防止固定刃。
【発明の詳細な説明】
【技術分野】
【０００１】この発明は、草刈り機の軸に巻きつく草、かずら、つる物、ひも、などを簡単に切断し、からみを防止するカギ爪型固定刃に関するものである。
【背景技術】
【０００２】従来の、からみ防止は、草刈り機の回転軸に、草刈機の刃と共に取り付ける回転型の刃、又は回転型の刃とナイロン刃の組み合わせ型、又は固定用外部カバーと草刈用回転刃と共に取り付ける内部カバーの組み合わせ型の物がある。
【発明の開示】
【発明が解決しようとする課題】
【０００３】これは次のような欠点があった。
（イ）  従来のからみ防止は、回転軸に草刈機の刃と共に取り付ける為、軸と共に回転する事が逆に、草、かずら、つる物、ひもなどを巻きつけてしまう。
（ロ）  従来のからみ防止は、回転軸に草刈機の刃と共に取り付ける為、単体での脱着が出来ない。
（ハ）  従来のからみ防止は、回転軸に負担が掛かる。刃を研ぎにくく壊れやすい。
（ニ）  従来のからみ防止カバー型の物は、すき間から入って来て巻き付く。
本発明は、これらの欠点を除く為に研究開発を進めた。
【課題を解決するための手段】
【０００４】カギ爪型固定刃（１）取り付けバンド（２）ボルト（３）ナット（４）で成っており、この固定刃を草刈機のシャフトに、図２、図３のように取り付け、草刈機の刃の回転方向に引かれて来る長い物は、回転軸に向かう力が働くので、軸に向かって来る部分を切断する事により、巻きつきを防止する。
本発明は、以上のような構成より成るからみ防止固定刃である。
【発明の効果】
【０００５】本発明は以上のような原理構造であるから、草刈り機の軸に巻きつく、草、かずら、つる物、ひもなどを簡単に切断し、からみを防止する。又低コストで生産でき、脱着メンテナンス性にも優れた設計である。
【発明を実施するための最良の形態】
【０００６】以下、本案の実施の形態と仕組みについて説明する。
（イ）カギ爪型の刃を製作、内側の角は大きめのＲで加工し、刃の先端は細く加工する。刃の幅の広い側に、取り付けバンド用の穴を複数開け、取り付け位置の調整が出来るようにする。刃の研ぎ方は、草刈機の丸刃の回転方向を作業者側から見た時に回転方向と反対に成る側を研ぐ。
（ロ）草刈機の回転刃上部シャフトに、カギ爪型固定刃（１）を、取り付けバンド（２）ボルト（３）ナット（４）で固定し、又、草刈機の刃の回転方向に少し角度を付けてセットし、草刈機の刃との間にギャップを設ける、これで草刈機を始動し作業すれば、草刈り機の軸に巻きつく、草、かずら、つる物、ひもなどを簡単に切断し、からみを防止出来る。
（ハ）なお本発明は、草刈機だけに限定されるものではなく、軸にからみつく作業機一般に応用できるものである。
【図面の簡単な説明】
【００１１】
【図１】本発明の第三角法で、描いた図である。
【図２】本発明の上から見た図で、草刈機に取り付けた状態である。
【図３】本発明の側面図で、草刈機に取り付けた状態である。
【符号の説明】
【００１２】１カギ爪型固定刃  ２取り付けバンド  ３ボルト  ４ナット
【図１】
2013081444.tif 000003
【図２】
2013081444.tif 000004
【図３】
2013081444.tif 000005
(57)【要約】      （修正有）【課題】酸化し難い・現場での使い勝手がよく・メンテナンスフリーであり・半永久の力を発揮する、食用油の酸化防止機具製品を提供する。【解決手段】ソーダガラスを用いて形成される一定のサイズの球状・楕円・丸平らの形状の透明ガラスビーズであり、中には、球状の中心にφ1.0〜1．5の貫通穴を開いた算盤形球状のもので、特に表面に酸化物が付着し難い様に表面を研磨又は鏡面とした。該ガラスビーズを、オイルフライヤーに浸漬させるか、オイル循環式還元器具で使用することにより、食用オイルの酸化防止抑制ができる。【選択図】なし【特許請求の範囲】
【請求項１】
本製品は食用オイル酸化防止抑制を行う為の材料にガラスビーズ用いている事が特徴であるが、その他のビーズ材料は金属・セラミックス・石英・クリスタル・シリコン等の材質として転用できるものとし、材料の添加剤としては金属系では磁性物質が特に有効であり、鉛レスであること。
【請求項２】
本製品の材質はソーダガラスでガラスビーズのエネルギー活性化させる為にガラスビーズへエネルギーを転写させる特定の加工技術を用いてガラスビーズの電子エネルギー活性化させていることが特徴である。
【請求項３】
前記（請求項２）のガラスビーズに食用オイルを接触させて食用オイル酸化防止抑制の働きを引き起こす、このガラスビーズに接触させる方法でオイルフライヤーに浸漬させる方法やオイル循環式還元器具でその作用を起こすことが特徴である。
【請求項４】
本製品のガラスビーズは一定のサイズの球状・楕円・丸平らの形状であり、中には、球状の中心にφ1.0〜1．5の貫通穴を開いた算盤形球状のもので特に表面が酸化物は付着し難い様に表面を研磨又は鏡面である事が特徴である。
【発明の詳細な説明】
【技術分野】
【０００１】
本発明は、食品加工における食物を過熱食用オイルで揚げ物を作る時に使用する食用イルの酸化防止抑制に関する。
【背景技術】
【０００２】
食用オイルが揚げ物により酸化が進むと商品の見た目や食品品質基準の酸化基準2.5以下を守る中で食用オイルの交換をしなくてはならなく、その一方では食用オイルの節約する問題である。
【先行技術文献】
【特許文献】
【０００３】
【特許文献１】特開平05-330951号公報
【特許文献２】特開2004-000107号公報
【特許文献３】特開2002-069476号公報
【発明の概要】
【０００４】
食用オイル酸化防止抑制の開発あたり、食用オイルの酸化抑制できることが条件となるので市販で先行されている品質を上回る事に重点をおいた、酸化し難い・現場での使い勝手・メンテナンスフリー・半永久の力を発揮することの条件をクリアー出来たが大きな発明となった。本、食用オイル酸化防止抑制器具はガラスビーズを特定サイズと大きさのものを加熱オイルフラーヤーに沈めて、オイルに接触させることで、食用オイルに電子イオンを転移させて、食用オイルの酸化防止を抑制と還元の運動活動を行う器具となる。
【発明の効果】
【０００５】
これにより、食用オイルの酸化によるオイルの寿命を延ばすことが可能になり、大きくコスト削減となった、また、オイルの切れ（オイルから引き上げる時のオイルのしたたり）が良くなり、オイルの持ち出しが減り、揚げ物のサクサク感があり食感が良くなった。
【発明を実施するための最良の形態】
【０００６】
この発明の実施形態を図１に示す様にガラスビーズにオイルが接触し易い間隔と揚げ物のカスが溜まらない事を考えた形態で掃除し易いシンプルな構造が最良である。
【発明を実施するための形態】
【０００７】
酸化の一部原因でもある、揚げ物の衣カスの付着がし難くなり、掃除が楽で簡単に出来る様になった。
他の形態としては、加熱オイルの対流でガラスビーズへの多くのオイルの接触する間隔と揚げ物の衣カスの付着がし難くなる様な形状であることが基本の形態である。
【符号の説明】
【０００８】
１  ガラスビーズ
２  間隔用ビーズ
３  ビーズ通し金具
４  抜け防止カシメ金具 
５  留め金具
６  ケース
７  ケースの蓋
(57)【要約】【課題】ＴＮＴ製造工程において排出される廃液を生物処理できるレベルまで処理する赤水廃液の処理方法を提供する。【解決手段】ＴＮＴ製造に伴って排出される赤水排液をＰＨ調整したのち、触媒の硫酸第一鉄七水和物と助触媒の硫酸銅五水和物と過酸化水素と消泡剤を加え酸化処理する。その後酸化処理水に苛性ソーダを加え、ろ過機で触媒を固液分離したのち、排水処理場において原水または水で希釈する。【選択図】図１
2013081882.tif 000002
【特許請求の範囲】
【請求項１】
ＴＮＴ製造に伴って排出される赤水排液に鉄を含む化合物と銅を含む化合物よりなる触媒を添加し、ついで過酸化水素を加えて酸化処理することを特徴とするＴＮＴ製造で排出される廃液の処理方法。
【請求項２】
過酸化水素を加える前に消泡剤を添加することを特徴とする請求項１記載のＴＮＴ製造で排出される廃液の処理方法。
【請求項３】
酸化処理後、触媒を除去し、ついで排水処理場で処理した原水又は水で希釈することを特徴とする請求項１又は２記載のＴＮＴ製造で排出される廃液の処理方法。
【発明の詳細な説明】
【技術分野】
【０００１】
本発明は、ＴＮＴ製造工程において廃出され、有機物を含有する廃液を生物処理することができるレベルまで処理する処理方法に関する。
【背景技術】
【０００２】
砲弾などの火薬類の主成分として幅広く使用されているＴＮＴは、０ニトロトルエン（０ＮＴ）を硝酸と硫酸の混酸を用いて二段階硝化することにより生成され、その際にＴＮＴの異性体（非対象ＴＮＴ）も生成される。ＴＮＴの最も一般的な精製法は、亜硫酸ソーダ水溶液を使用するセライト法で、亜硫酸ソーダ水溶液を加えることにより非対称ＴＮＴの反応活性なニトロ基はスルホン酸ナトリウムに置換され、水溶性のスルホン酸塩となるためセライト法により容易に除去される。
【０００３】
この廃液は特有の赤い色を呈し（以下、この廃液を赤水廃液という）、有機物及び硝酸性窒素等の量が多く、ＣＯＤ（化学的酸素要求量）が極めて高いため、そのまま処理する場合には、１００倍以上の希釈が必要であり、コスト高となり実用的でない。従って従来は重油を燃料として燃焼処理していた。
【発明の概要】
【発明が解決しようとする課題】
【０００４】
重油による燃焼処理は、温室効果のあるCO２を発生させ最適な処理方法ではない。
本発明は、ＴＮＴ製造工程において排出される廃液を生物処理できるレベルまで処理する赤水廃液の処理方法を提供することを目的とする。
【課題を解決するための手段】
【０００５】
請求項１に係わる発明は、ＴＮＴ製造に伴って排出される赤水廃液に鉄を含む化合物と銅を含む化合物よりなる触媒を添加し、ついで過酸化水素を加えて酸化処理することを特徴とし、
請求項２に係わる発明は、請求項１に係わる発明において、過酸化水素を加える前に消泡剤を添加することを特徴とする。
【０００６】
請求項３に係わる発明は、請求項１又は２に係わる発明において、酸化処理後、触媒を除去し、ついで排水処理場で処理した原水又は水で希釈することを特徴とする。
【発明の効果】
【０００７】
請求項１に係わる発明によると、ＴＮＴ製造に伴って排出される廃液に触媒と過酸化水素を加えて酸化処理することにより溶液のＣＯＤ（化学的酸素要求量）等が低下し、生物処理が可能となる。
【０００８】
過酸化水素を加えると、発泡が激しくなるために赤水処理に大きな処理槽が必要となる。この点、請求項２に係わる発明のように、消泡剤を加えれば、発泡が抑えられ、より小さな処理槽でも赤水処理が可能となる。
【０００９】
請求項３に係わる発明のように、酸化処理後に触媒を除去し、希釈することで生物処理がより確実に行えるようになる。
【図面の簡単な説明】
【００１０】
【図１】実施形態を示すフロー図。
【図２】実施例を示すフロー図。
【発明を実施するための形態】
【００１１】
以下、本発明の実施形態について図１に基づいて説明する。
ＴＮＴ製造に伴って排出される赤水廃液は酸化処理槽においてＰＨ調整したのち、触媒の鉄を含む化合物である硫酸第一鉄七水和物FeSO4・7H2Oと助触媒の銅を含む化合物である硫酸銅五水和物CuSO4・5H2Oを加え、更に過酸化水素H2O2と消泡剤を加えて酸化処理する。ここで触媒と助触媒は、どちらが前後して加えられてもよいが、過酸化水素は触媒と助触媒の添加と同時に又は添加後に加えられ、消泡剤は過酸化水素に先立って添加される。消泡剤としては例えばオルガノ株式会社製のオルデフォームＦＣ−１３１、１２０、１００（商品名）、栗田工業株式会社製のクリデスＳ−１１５（商品名）等を用いることができる。
【００１２】
その後、ろ過機を備えた触媒除去設備に移され、苛性ソーダNaOHが加えられる。これにより触媒が水酸化物として析出し、ろ過機で分離除去される。触媒を除去した酸化処理水は中和後、下水処理場等の排水処理場において使用される原水又は山水で希釈される。
【実施例】
【００１３】
図２において、ＴＮＴ製造に伴って排出される、以下の表１に示す物性の廃液１４０Ｌに硫酸を加え、ＰＨ調整したのち、オルガノ株式会社製のオルデフォームＦＣ−１２０（商品名）２８g、FeSO4・7H2O  ５８５g、CuSO4・5H2O  １５０gを加え、ついで３５％過酸化水素水H2O2３５．６gを加えて８５±５℃で酸化反応を生じさせた。その後、これをろ過機でろ過し、固液分離を行って固形分は廃棄する一方、ろ液には苛性ソーダNaOHを加えてＰＨ調整し、ついでこれをろ過機によりろ過し固液分離を行った。そして固形分を廃棄する一方、ろ液には硫酸によりＰＨ調整を行って中和させ、中和済みの処理水にオルガノ株式会社製の排水処理場において処理するオルガノ原水１７２２Ｌを加え、１０倍希釈した。処理水の物性の目標値と実測値及び希釈後の処理水の水質と瀬戸法（瀬戸内海環境保全特別措置法）排水基準を以下の表２及び表３に示す。
【００１４】
表２中、１０倍希釈後の処理水は中和済み処理水を１０倍希釈した処理水を表し、該処理水中の窒素含有量２７０→１４は、１０倍希釈した処理水中の窒素含有量は２７０mg/Ｌであったが、オルガノ関西株式会社による微生物処理の結果、１４mg/Ｌに低下したことを示している。
表２に示されるように、１０倍希釈後の処理水は瀬戸法排水基準の許可値をクリアできている。
【００１５】
【表１】
2013081882.tif 000003
【００１６】
【表２】
2013081882.tif 000004
【図１】
2013081882.tif 000005
【図２】
2013081882.tif 000006
(57)【要約】      （修正有）【課題】自動車のエンジンの運動エネルギーを超電導フライホイール式電力貯蔵装置に貯蔵する。【解決手段】自動車，バイクの駆動出力検出装置のように静止型自動車最大出力検査装置にあるような発電装置を直結したローラー上に自動車、バイクの車輪を乗せ、自動車のエンジンの運動エネルギーをローラー伝え、発電機を装着したローラーを回転することによって、この発電機から電気を取り出す。この発電機から発生した電気エネルギーは、電圧調整、周波数調整をおこなって、超電導フライホイール式電力貯蔵装置に回転運動エネルギーとして貯蔵する。超電導フライホイール式電力貯蔵装置に貯蔵された電力は、工場の電力、公共施設あるいは家庭用の電力需要として利用する。【選択図】なし【特許請求の範囲】
【請求項１】
自動車、バイク等の内燃機関を有したエンジンの運動エネルギーを発電機を通して、超電導フライホイール式電力貯蔵装置に運動エネルギーとして貯蔵し、これを使用することを特徴とする電力貯蔵装置とその電力貯蔵使用方法。
【請求項２】
内燃機関を有したエンジンの運動エネルギーを発電機を通して、超電導フライホイール式電力貯蔵装置に運動エネルギーとして貯蔵し、これを使用することを特徴とする電力貯蔵装置とその電力貯蔵使用方法。
【請求項３】
電気自動車、ハイブリッドカーのエネルギーを発電機を通して、超電導フライホイール式電力貯蔵装置に運動エネルギーとして貯蔵し、これを使用することを特徴とする電力貯蔵装置とその電力貯蔵使用方法。
【発明の詳細な説明】
【技術分野】
【０００１】  本発明は自動車、二輪バイクのエンジンにより発生させた電気エネルギーを超電導フライホイール式電力貯蔵装置に充電貯蔵し、そのエネルギーを産業用、公共施設、家庭用の電力として活用する装置に関するものである。
【背景技術】
【０００２】  従来、工場の電力、公共施設あるいは家庭用の電力は、主に電力会社から供給され、自家発電装置による供給はごく限られた事業所のみで、一般的に大容量の電力貯蔵された電力を長時間供給できる装置は存在せず、電力は電力会社が発電所で発電したものを貯蔵せず、直接電力を需要家に供給してきた。
【発明が解決しようとする課題】
【０００３】  そのために、次のような問題点があった。
（イ）日本において、地震津波による東京電力福島第一原子力発電所の事故以来、新たな原子力発電所の建設、定期点検による停止、定期検査停止後の再稼働が困難等により、夏季冬季の電力需要に対して、各電力会社の火力発電、水力発電、再生可能エネルギー発電施設を最大限活用しても電力不足になるおそれがあるという問題が発生している。
（ロ）現在、日本、ドイツ国の共同で出力４００ｋｗの超電導フライホイール式電力貯蔵装置が実用化され出力は非常に大きいが、電力貯蔵量が１５ｋｗｈと一般家庭の一日分の消費量であるために、大規模工場、公共施設の無停電電源のバッテリーの代替として利用でき、長時間のこれらの施設の電力供給用として用いるには電力貯蔵量不足という問題があった。
（ハ）現在電気自動車、ハイブリッド車等で普及しているリチウムイオン電池等の化学的バッテリーは急速充電ができたとしても、５分あるいは１０分程度でフル充電することは困難であり、最大出力も超電導フライホイール式電力貯蔵装置と比較すると１／５０以下であり、大規模な需要家には電力出力不足という問題があった。
（ニ）現在電気自動車、ハイブリッド車等で普及しているリチウムイオン電池等の化学的バッテリーを家庭用の電源として用いる場合、電源として使用している時間帯において、その電気自動車を走らせることができず、また、大規模な事業用として上記電気自動車を電源として利用するには、出力不足で長時間の電力供給も難しいという問題があった。
【課題を解決するための手段】
【０００４】  上記、問題点を解決するための手段は下記のとおりである。
自動車、二輪バイクのエンジンにより発生させた電気エネルギーを超電導フライホイール式電力貯蔵装置に充電貯蔵し、そのエネルギーを産業用、公共施設、家庭用の電力として活用する。
具体的な手段は、
（イ）自動車，バイクの駆動出力検出装置のように静止型自動車最大出力検査装置にあるような発電装置を直結したローラー上に自動車、バイクの車輪を乗せ、自動車のエンジンの運動エネルギーをローラー伝え、発電機を装着したローラーを回転することによって、この発電機から電気を取り出す。
（ロ）この発電機から発生した電気エネルギーは、電圧調整、周波数調整をおこなって、超電導フライホイール式電力貯蔵装置に回転運動エネルギーとして貯蔵する。
（ハ）超電導フライホイール式電力貯蔵装置に貯蔵された電力は、工場の電力、公共施設あるいは家庭用の電力需要として利用する。
【発明の効果】
【０００５】  本件の発明は下記の効果がある。
（イ）自動車、バイク等のエンジンの付いた自動車は世の中に全世界に普及しているため、このエネルギーを手軽に発電機の動力として利用できる。またその出力が普通車でも平均的に１００ｋｗから２００ｋｗであり、一般家庭の５０倍から１００倍あり、十分に大規模な需要家に対応できる電力出力があるという効果がある。
（ロ）電力貯蔵は、超電導フライホイール式電力貯蔵装置によって行うため、電力貯蔵速度が非常に大きくリチオウムイオン電池と比較しても１０倍から５０倍と大きいので、フライホイールへの充電時間が１０分程度で完了するという効果がある。
（ハ）超電導フライホイール式電力貯蔵装置を電力貯蔵しているので、出力が最大４００〜１０００ｋｗとなり、現在あるイオンリチウム電池のような化学的バッテリーと比較しても、出力が５０倍〜１００倍以上出せるという効果がある。
（ニ）電力貯蔵において、自動車から急速充電ができるので、高出力、長時間の電力使用が可能になった。電気自動車からの電力使用は、これができない。
（ホ）廃車となった自動車を発電機の電源として利用できるという効果もある。
【発明を実施するための最良の形態】
【０００６】  以下、本発明の実施の形態について説明する。
自動車，バイクの駆動出力検出装置のように静止型自動車最大出力検査装置にあるような発電装置を直結したローラー上に自動車、バイクの車輪を乗せ、自動車のエンジンの運動エネルギーをローラー伝え、発電機を装着したローラーを回転することによって、この発電機から電気を取り出す。取り出した電気は運動エネルギーとして超電導フライホイール式電力貯蔵装置に貯蔵する。自動車、バイクのエンジンが高回転し、駆動系統が回転しても、それらの車両が自走しないようにストッパーを装着する。
(57)【要約】【課題】電池切れの不安を少しでも小さくする目的で、車輪を取り付けた発電装置を車体外の床下部に取り付ける、牽引させる事で発電させバッテリーに充電させるものである。【解決手段】円筒形発電機（１）の両端軸に車輪（２）を取り付けた発電装置を、取り付け用腕金具（３）により車体外の床下部に取り付ける、牽引する事により車輪が回転し、接続した発電機の軸が回り発電が開始され車体内部のバッテリーに充電される。【選択図】図１
2013081346.tif 000002
【特許請求の範囲】
【請求項１】
電気自動車の推進力を利用して発電し、バッテリー充電する技術である。円筒形発電機の両端軸に、車輪を取り付けた発電装置を車体外の床下部に取り付けて牽引する。発電機の車輪が回転する事で発電機の軸が回り発電し、バッテリーに充電する機能を有する事を特徴とする自動車。
【発明の詳細な説明】
【技術分野】
【０００１】この発明は、車両に取り付けた発電装置で発電し充電する電気自動車に関する。
【背景技術】
【０００２】現在、電気自動車は電池切れの不安が付きまとい遠方に行く程、それは大きな不安となっているのである。【０００３】バッテリーを多く搭載する程、重量及び車両価格共に上昇してしまう事となる。【０００４】ハイブリッド車が、時々実行する回収エネルギーのバッテリーへの充電により、バッテリーのみ走行でかなりの距離を走る事が出来るので、本発明により絶え間無く発電し充電したバッテリーにて、より長い距離を走る事が可能となるのである。
【発明の開示】
【発明が解決しようとする課題】
【０００５】電気自動車の電池切れの解決策として、バッテリーを多く搭載すると，車両の重量及び価格共に上昇する事となる。本発明は以上の欠点を少なくする為に成されたものである。
【課題を解決する為の手段】
【０００６】電気自動車の推進力を利用する目的を持つもので有り、円筒形発電機の両端軸に車輪を取り付けた発電装置を、車体外の床下部に取り付ける。牽引する事で発電装置の車輪が回転する事で接続した発電機の軸が回り発電し、バッテリーに充電される。
【発明の効果】
【０００７】発進前に予め充電したバッテリーの残量が走行中に無くなってしまった時は、走ることにより発電し充電したバッテリーを走行に使う。反面、使用されなくなった空のバッテリーに充電先を変えて、引き続き発電されている電気を再充電する事が出来る。
【発明を実施する為の最良の形態】
【０００８】以下、本発明の実施の形態を図面に基づき詳細に説明する。
円筒形発電機（１）の両端軸に車輪（２）を取り付けた発電装置を、取り付け用腕金具（３）により、車体外の床下部に取り付ける。
【０００９】発電装置は一例として車両先端の下部を利用して取り付けたが、後部のトランクルームの床下等にスペースが確保出来れば、取り付けても良い。
【００１０】発電装置の取り付けは、道路の小穴に発電機の車輪が落ちないように、取り付け用腕金具の下支え部品を取り付けて置くと良い。又、振動を吸収する為にはバネ、ゴム等の弾性部材を利用し、上に跳ねた時の衝撃を吸収する対策も必要となる。
【図面の簡単な説明】
【００１１】
【図１】本発明の斜視図である。
【符号の説明】
【００１２】１  円筒形発電機
２  発電機に取り付ける車輪
３  取り付け用腕金具
【図１】
2013081346.tif 000003
(57)【要約】【課題】この発明は、紫外線から顔を守る布を、ストキング素材やレース素材を使用することで、だてマスクとしてファッション性を高めた、フェイスストッキングを提供する。【解決手段】紫外線から顔を守る布に、ストッキング素材やレース素材を使用して、目から下の顔又は首までを覆うことができる大きさの（１）フェイスストッキングを作り、両端に（２）開口部を設け、その（２）開口部を耳にかけて使用することを特徴とするフェイスストッキングである。【選択図】図１
2013081591.tif 000002
【特許請求の範囲】
【請求項１】
ストッキング素材やレース素材を使い、目から下の顔又は首までを覆うことができる布に開口部を設け、その開口部を耳にかけて使用することを特徴とするフェイスストッキングである。
【発明の詳細な説明】
【技術分野】
【０００１】
本発明は、紫外線から顔を守る布を、ストキング素材やレース素材を使用することで、だてマスクとしてファッション性を高めた、フェイスストッキングに関するものである。
【背景技術】
【０００２】
顔用のストッキングは販売されていない。
【発明の概要】
【発明が解決しようとする課題】
【０００３】
従来より、次のような問題点があった。
（イ）フェイス用のストッキングは販売されていなかった。
（ロ）医療用あるいは花粉・粉じん対策用のマスクは、ファッション性に乏しく紫外線用として普段使用するには不向きであった。
（ハ）医療用のマスクをしていると、どうしてもゴムの跡が気になる。
（ニ）紫外線対策に使用する日傘や帽子は、風に飛ばされることがあった。
本発明は、以上の問題点を解決しようとするものである。
【課題を解決するための手段】
【０００４】
ストッキング素材やレース素材を使い、目から下の顔又は首までを覆うことができる布に開口部を設け、その開口部を耳にかけて使用する。
以上を特徴とするフェイスストッキングである。
【発明の効果】
【０００５】
フェイスストッキングを使えば、ノーメイクでも素早く日差しを遮ることができ、そのまま外出しても恥ずかしくない。
ストッキング素材特有の透け感でパッと見、マスクをしていることに気づかれず使用でき、また肌を美しく見せてくれる効果もある。
肌色以外にも、黒やカラフルな色で、また編み目やレース、刺繍、プリントなど施してファッションの一部として楽しむことができる。
自転車に乗るときやウォーキングのときなど、日傘を使うことができない場面でも手軽に使用できる。
傘や帽子は、風に飛ばされることがありますが、フェイスストッキングなら風の強い日も安心して使用できる。
【図面の簡単な説明】
【０００６】
【図１】本発明の正面図である。
【図２】本発明の使用状態を示した正面図である。
【発明を実施するための形態】
【０００７】
（イ）ストッキング素材やレース素材で、目から下の顔全体を覆うことができる大きさのフェイスストッキング（１）を作る。
（ロ）フェイスストッキング（１）に、耳を引っ掛けるための開口部（２）を設ける。
【符号の説明】
【０００８】
（１）  フェイスストッキング
（２）  開口部
【図１】
2013081591.tif 000003
【図２】
2013081591.tif 000004
(57)【要約】      （修正有）【課題】貝を焼き網の上に直接載せて焼く場合、貝を思う角度で網に載せることや焼きあがった貝を皿に移すことが難しく、大切な汁をこぼす危険性が大きかった。巻貝や二枚貝の汁をこぼさずに焼き上げる簡易貝焼き器を提供する。【解決手段】薄い金属板２に貝を支える爪３、４を打ち抜き、その爪３、４を貝の種類に応じて立てて貝を水平に載せ、焼き網の上で焼き、セットのヘラで金属板ごとすくって食器まで運ぶことを特徴とする簡易貝焼き器である。【選択図】図４
2013081627.tif 000002
【特許請求の範囲】
【請求項１】
薄い金属板に貝を水平に支えるための３本以上の貝支え爪を打ち抜いて設けた貝載せ台と、同じく薄い金属板からなり、前記の貝載せ台をすくうヘラ部分と割り箸からなる柄を支える柄支え部分とを区切る折り曲げ線を設け、柄支え部分に割り箸を止める止め金と割り箸の横への移動を抑制する止め打出しを設けた簡易貝焼き器。
【発明の詳細な説明】
【技術分野】
【０００１】
本発明は、焼き網の上にのせて貝全般、すなわち二枚貝、巻貝のいずれにも対応できる簡易貝焼き器に関するものである。
【背景技術】
【０００２】
従来、焼き貝は焼き網の上に貝を直接載せて焼いてきた。
【発明の概要】
【発明が解決しようとする課題】
【０００３】
貝を焼き網の上に直接載せて焼く場合、貝を思う角度で網に載せることや焼きあが    った貝を皿に移すことが難しく、栄養価の高い大切な汁をこぼす危険性が大きかった。
【０００４】
本発明は、以上の問題点を解決するものである。
【課題を解決するための手段】
【０００５】
薄い厚みの金属板に貝を支える３本以上の支え爪を打ち抜き、その爪を立てて貝を水平に載せ、この貝焼き器を焼き網の上で焼く。焼き上がったら、セットのヘラで貝焼き器ごとすくって食卓まで運び食器に移して焼いた貝を食べるためのものである。
【発明の効果】
【０００６】
本発明は、二枚貝でも巻貝でも水平に載せることができる爪を備えていること、爪    を立ち上げなければ金属の平板で収納が容易であること、薄い金属板を打ち抜いただ    けのものなので安価に製造ができるため使い捨ても可能であること、焼き器ごとすく    って皿に乗せることができるため汁がこぼれないことなどの特徴を備えているため、    気軽に焼き貝料理を楽しむことができる。
【図面の簡単な説明】
【０００７】
【図１】本発明の「簡易貝焼き器」の見取図
【図２】本発明の「簡易貝焼き器」の巻貝対応時の斜視図
【図３】本発明の「簡易貝焼き器」の二枚貝対応時の斜視図
【図４】本発明の「簡易貝焼き器すくい器」の見取り図
【図５】本発明の「簡易貝焼き器」と「簡易貝焼き器すくいヘラ」の使用状況の               斜視図
【発明を実施するための形態】
【０００８】
以下、本発明の実施の形態を説明する。
【０００９】
簡易貝焼き器（１）は、貝載せ台（２）及び、貝載せ台すくいヘラ（７）から成る。
【００１０】
薄い金属板の貝載せ台（２）には、補強打出しＡ（６）及び、実線部打ち抜きの貝支    え爪Ａ（３）、同じく実線部打ち抜きの貝支え爪Ｂ（４）、全打ち抜きの火通し穴（５）を設ける。貝載せ台すくいヘラ（７）には、実線部打ち抜きの割り箸止め金Ａ・Ｂ（８・９）、割り箸止め打出しＡ・Ｂ（１０・１１）、補強打出しＢ（１２）及び、折り    曲げ線（１３）を設ける。
【００１１】
本発明は、以上のような構造である。
【００１２】
本発明を使用して巻貝を焼くときは、焼き網の上に貝支え爪（３−Ａ−１〜３）を    立てた貝載せ台（２）を置いて巻貝を水平に載せる。二枚貝を焼くときは、貝支え爪
（３−Ａ−２・３）及び貝支え爪Ｂ（４）を立てた貝載せ台（２）を置いて二枚貝を
水平に載せる。焼き上がったら、折り曲げ線（１３）で角度を付け、割り箸止め金Ａ    （８）・Ｂ（９）と割り箸止め打出しＡ（１０）・Ｂ（１１）で割り箸を柄として固    定した貝載せ台すくいヘラ（７）で貝載せ台（２）を水平にすくい取り食器に移動さ    せる。
【符号の説明】
【００１３】
１簡易貝焼き器
２貝載せ台
３貝支え爪（Ａ−１〜Ａ３）
４貝支え爪Ｂ
５火通し穴
６補強打出しＡ
７貝載せ台すくいヘラ
８割り箸止め金Ａ
９割箸止め金Ｂ
１０割り箸止め打出しＡ
１１割り箸止め打出しＢ
１２補強打出しＢ
１３折り曲げ線
【図１】
2013081627.tif 000003
【図２】
2013081627.tif 000004
【図３】
2013081627.tif 000005
【図４】
2013081627.tif 000006
【図５】
2013081627.tif 000007